(57)【要約】【課題】剛性容器に収容した後、突き刺して注出孔を形成することによって使用する個包装体に関して、この個包装体が不用意に破袋することを防止する技術を提供すること。【解決手段】ポリアミドフィルムとポリオレフィン系フィルムとを積層した積層フィルムを材料とする包装袋（個包装袋）に液体内容物を密封した包装体（個包装体）１１であって、剛性容器に収容した後、突き刺して注出孔を形成することによって使用する個包装体１１を、複数、包装袋（集積包装袋）１２に収容する。衝撃が加わった場合にも、その衝撃を集積包装袋が緩和するから、個包装体の不用意な破袋が防止できる。【選択図】図２
2017039521.tif 000002
【特許請求の範囲】
【請求項１】
ポリアミドフィルムとポリオレフィン系フィルムとを積層した積層フィルムを材料とする包装袋（個包装袋）に液体内容物を密封した包装体（個包装体）であって、剛性容器に収容した後、突き刺して注出孔を形成することによって使用する個包装体を、複数、包装袋（集積包装袋）に収容して成ることを特徴とする集積包装体。
【請求項２】
前記個包装体に比較して耐衝撃性が高いことを特徴とする請求項１に記載の集積包装体。
【発明の詳細な説明】
【技術分野】
【０００１】
本発明は、内容物を消費して空になった剛性の容器（繰り返し使用容器）に対して、内容物を補給する技術に関する。
【背景技術】
【０００２】
シャンプーやリンス等の液体トイレタリー用品は、例えばプラスチック製ボトル等の剛性容器に収容されて販売されている。この剛性容器の蓋材にはノズルが装備されていることが多く、内容物はこのノズルから適量吐出して使用される。
【０００３】
ところで、このようなノズル付き剛性容器は一般に高価であることから、内容物を消費して空になったこれら剛性容器に内容物を補充する補充用内容物が別途販売されていることは周知である。この補充用内容物は比較的安価な包装袋に密封して販売されており、この包装袋を開封して、前記剛性容器に注ぎ入れることによって補充する。
【０００４】
このような補充作業では、補充作業に時間がかかったり、内容物が剛性容器の外にこぼれたりすることが多々見られることから、特許文献１〜２には、補充用包装袋を開封することなく、密閉した状態の補充用包装袋を前記剛性容器に収容する技術が記載されている。
【０００５】
この技術の例を図面を参照して説明すると、剛性容器ａは、容器本体ａ１、蓋体ａ２、ディスペンサーａ３の３つの構成部材で構成されている。ディスペンサーａ３には、容器ａ外側に伸びるノズルａ３１が設けられており、このノズルａ３１は、容器ａの内部に伸びるチューブａ３２とつながっている。そして、これらノズルａ３１とチューブａ３２の両者に連通する注出流路が設けられており、チューブａ３２の先端は鋭く尖っている。
【０００６】
一方、補充用包装袋ｂは突き刺し耐性の低い包装袋内部に補充用内容物を密封して構成されており、図の例では、包装袋としてガゼット袋を採用し、このガゼット袋側面のひだを開いて略直方体形状に構成している。そして、このため、この補充用包装体ｂを容器本体ａ１に収容すると、略直方体形状の矩形状の面が上方を向くことになる。
【０００７】
そこで、蓋体ａ２及びディスペンサーａ３を容器本体ａ１に取り付けると、チューブａ３２先端が補充用包装体ｂに突き刺さってこれに注出孔を形成することができる。
【０００８】
こうして、補充用包装体ｂ内部の内容物は、包装体ｂに突き刺さったチューブａ３２とノズルａ３１との注出流路を通して容器ａ外部に吐出することができる。
【０００９】
ところで、前記補充用包装袋はチューブ先端の突き刺しによって注出孔が開くものでなくてはならない。このため、この包装袋は、延伸ポリアミドフィルムとポリオレフィン系フィルムとを積層した積層フィルムを材料として構成している。このような積層フィルムを材料として包装袋を構成することにより、チューブａ３２先端を突き刺したときに確実に注出孔が開くだけでなく、この注出孔の周囲の前記積層フィルムに裂け目が生じることなく、注出孔周囲の積層フィルムがチューブａ３２先端にまつわりついて密着するから、この注出孔から容器ａ内部に液体内容物がこぼれることもない。
【先行技術文献】
【特許文献】
【００１０】
【特許文献１】特開平６−１７１６９８号公報
【特許文献２】特開平６−２５５６８４号公報
【発明の概要】
【発明が解決しようとする課題】
【００１１】
以上のように、特許文献１，２に記載の技術は、補充用包装体を開封することなくそのまま繰り返し使用容器に収容することで内容物を補充でき、しかも、この内容物を容器内部にこぼすことなく外部に吐出することができる点で優れたものである。
【００１２】
しかしながら、この補充用包装体の包装袋は、チューブ先端の突き刺しによって注出孔が開く程度に突き刺し耐性の低いフィルムから構成されている。このため、この包装体は耐衝撃性も小さく、例えば、その保存中や輸送中の落下等によっても破袋し易いという欠点を有していた。
【００１３】
本発明はこのような課題認識のもとになされたもので、突き刺しによって注出孔が開く包装袋が不用意に破袋することを防止することを目的とする。
【課題を解決するための手段】
【００１４】
すなわち、請求項１に記載の発明は、ポリアミドフィルムとポリオレフィン系フィルムとを積層した積層フィルムを材料とする包装袋（個包装袋）に液体内容物を密封した包装体（個包装体）であって、剛性容器に収容した後、突き刺して注出孔を形成することによって使用する個包装体を、複数、包装袋（集積包装袋）に収容して成ることを特徴とする集積包装体である。
【００１５】
次に、請求項２に記載の発明は、前記個包装体に比較して耐衝撃性が高いことを特徴とする請求項１に記載の集積包装体である。
【発明の効果】
【００１６】
本発明によれば、耐衝撃性の小さい個包装体を集積包装袋に収容したから、落下等によってその保存中や輸送中に衝撃が加わった場合にも、その衝撃が個包装体に直接加わることがない。このように集積包装袋が衝撃を緩和するから、個包装体の不用意な破袋が防止できる。
【図面の簡単な説明】
【００１７】
【図１】本発明に係る個包装体の例を示す斜視図である。
【図２】本発明に係る集積包装体の例を示す斜視図である。
【図３】本発明に係る個包装体の使用方法を示す説明用斜視図である。
【発明を実施するための形態】
【００１８】
本発明の集積包装体１は、複数の個包装体１１と集積包装袋１２とで構成されるものである。
【００１９】
個包装体１１は、個包装袋の内部に液体内容物を密封して成るもので、例えば、図１に示すように、四方シール袋の内部に液体内容物を密封した後、四方シール袋を折り曲げて略直方体形状に成形したものが使用できる。四方シール袋の代わりに、三方シール袋、合掌袋、ガゼット袋、スタンディングパウチ等を使用してもよい。
【００２０】
この個包装体１１は、剛性容器に収容した後、突き刺して注出孔を形成することによって使用するものである。例えば、図３に示すように、剛性容器ａとして、容器本体ａ１、蓋体ａ２、ディスペンサーａ３の３つの構成部材で構成されたものを使用し、個包装体１１を補充用包装袋ｂとして使用して容器本体ａ１中に収容した後、チューブａ３２付きのディスペンサーａ３を取り付けることにより、このチューブａ３２先端で突き刺して注出孔を形成する。なお、チューブａ３２はディスペンサーａ３のノズルａ３１につながっており、これらチューブａ３２とノズルａ３１の両者に跨って設けられた注出流路を通して吐出することができる。
【００２１】
このようにチューブａ３２等で突き刺して注出孔を形成したとき、注出孔の周囲で個包装袋が裂けることなく、個包装袋がチューブａ３２等に密着して液体内容物の漏出を防止するため、個包装袋は、ポリアミドフィルムとポリオレフィン系フィルムとを積層した積層フィルムを材料とするものであることが必要である。望ましくは、延伸ポリアミドフィルムとポリオレフィン系フィルムとを積層した積層フィルムである。
【００２２】
なお、液体内容物としては、シャンプー、リンス、コンディショナー、液体洗剤、液体柔軟剤、消毒剤等の液体トイレタリー用品が好適である。このほか、食用油、しょうゆ、酢等であってもよい。また、複数の個包装体１１の内容物は同じものであってもよいし、異なるものであってもよい。
【００２３】
次に、集積包装袋１２は複数の個包装体１１を収容して衝撃から保護するものである。図２は、この集積包装袋１２としてスタンディングパウチを使用した例を示すもので、この例では、４つの個包装体１１を収容している。もちろん、集積包装袋１２はスタンディングパウチに限らず、任意の形態の包装袋であってよい。例えば、四方シール袋、三方シール袋、合掌袋、ガゼット袋等である。また、この集積包装袋１２に収容する個包装体１１の数も２個以上であれば任意である。
【００２４】
集積包装袋１２は、開口部から複数の前記個包装体１１を収容した後、その開口部を密封して密閉したものであることが望ましい。この集積包装袋１２が外部からの衝撃を受けたときにも、前記個包装体１１が飛び出すことがなく、個包装体１１の破袋を防止できるからである。例えば、集積包装袋１２が落下した際にも、落下の際の衝撃からそれぞれの個包装体１１を保護して、その破袋を防ぐことができる。
【００２５】
集積包装袋１２の材質は任意であってよいが、個包装体１１の耐衝撃性に比較して、密封した集積包装袋１２の耐衝撃性が高いことが望ましい。例えば、二軸延伸ポリエステルフィルムを含む単層構造又は多層構造のフィルムである。
【００２６】
また、集積包装袋１２は酸素バリア性を有する材質から構成されていることが望ましい。例えば、アルミニウム箔を含む多層構造のフィルムである。また、アルミニウム蒸着層等の金属蒸着層を多層構造のフィルムや酸化ケイ素蒸着層等の無機蒸着層を多層構造のフィルムを使用してもよい。例えば、二軸延伸ポリエステルフィルムに金属蒸着層又は無機蒸着層を設け、その蒸着面にシーラント層を積層したフィルムである。
【符号の説明】
【００２７】
１：集積包装体    １１：個包装体    １２：集積包装袋
ａ：剛性容器    ａ１：容器本体    ａ２：蓋体    ａ３：ディスペンサー    ａ３１：ノズル    ａ３２：チューブ
ｂ：補充用包装袋
【図１】
2017039521.tif 000003
【図２】
2017039521.tif 000004
【図３】
2017039521.tif 000005